(57)【要約】      （修正有）【課題】発信力と更新性を備え、閲覧者の任意により寄付行為等が行える印刷物を提供する。【解決手段】カレンダー、書籍等の印刷物は、二次元コードを備え、掲示される文面１、訳文２について、二次元コード３をスマートフォンで読み取ることで、映像と音声で文面・訳文を補完する。またリンク先において適宜、内容を更新することにより永続性を持たせる。さらに、閲覧者の任意により寄付行為等が行えるシステムを提供する。表表紙の二次元コードをスマートフォンで読み取ることにより、映像、音声により商品説明等を行う。また裏表紙の二次元コードをスマートフォンで読み取ることで協賛、後援、発売元の会社のホームページにリンクさせる。【選択図】図１
0003235437.tif 000002
【実用新案登録請求の範囲】
【請求項１】
印刷物のＱＲコードをスマートフォンで読み取り、そのリンク先において映像、音声で印刷物の内容を補完、また商品説明を行うしゃべる印刷物。
【請求項２】
リンク先で適宜内容を更新することにより、日々進化する印刷物の提供。
【請求項３】
ＱＲコードのリンク先において、映像、音声等を提供する制作者に対して、閲覧者の任意により「寄付金」「支援金」「通信販売」等ができるシステムを有する印刷物。
【考案の詳細な説明】
【技術分野】
【０００１】  本考案は、印刷物のＱＲコードをスマートフォンで読み取ることにより、映像、音声により商品内容、文面の説明を行うことで、記載内容を補完し、なおかつ、リンク先において適宜、内容を更新することで、新しい情報を提供することができ、更に閲覧者の同意の上で「寄付行為」「資金援助」「チケット購入」「通信販売」等が行えるシステムを有する印刷物に関連するものである。
【背景技術】
【０００２】  地方における方言文化、沖縄においては「黄金言葉」を印刷物として出版し、その文面を日本語、あるいは外国語の訳文を併せて掲示する場合、印刷物だけでは、商品内容もアピールできず、イントネーション、シチュエーションも伝える事が出来ない。
寄付行為を伴う物品販売は、販売時のみ利益から寄付金として拠出され、制作者に対する報酬は制作時のみの支払いである。
協賛、後援企業の応援広告を掲示する場合、スペース等、費用対効果の面で課題がある。
【先行技術文献】
【特許文献】
【０００３】
【特許文献１】特開２００６−８５６５８（Ｐ２００６‐８５６５８Ａ）
【考案の概要】
【考案が解決しようとする課題】
【０００４】  カレンダーや書籍等の印刷物の商品価値はそこで完結しており、印刷物は言葉を発しないので、印刷物が自ら商品説明をすることも、文面の内容を補完することも更新することもできない。
寄付行為を伴う物品販売は売上時のみの収益により行われており、協力してくれた制作者に対する報酬は制作時のみに支払われる。
協賛企業、後援企業の数を増やすと印刷コスト及び編集、デザイン等の面において不利である。
【課題を解決するための手段】
【０００５】  本考案は印刷面のＱＲコードをスマートフォンで読み取ることで商品説明を行い、掲示文面の内容を制作者が映像、音声で伝えることにより、正しい発音と解説によりイントネーション、シチュエーションを伝える事で解決する。
リンク先において映像、音声を適宜更新することにより、日々新しい情報を提供することで解決する。
物品購入後もＱＲコードからのリンクにより、購入者の判断において適宜寄付行為を行う事を可能にし、リンク先において映像を制作、出演した者は、閲覧者の同意を得れば、何度でも収入を得ることが可能となる事で解決する。
協賛企業、後援企業も会社名とＱＲコードの記載のみとして広告スペースを縮小することで解決する。
【考案の効果】
【０００６】  印刷物に自らの発信力と更新性が与えられ、更に寄付行為、制作者に対する報酬に継続性を持たせることが可能となる。
また、店頭での商品説明が不要となる。以上のことから文化の継承、寄付行為、制作者への報酬、物品販売における費用対効果の面で役立つ。
【図面の簡単な説明】
【０００７】
【図１】日めくりカレンダーの場合の図面である。
【図２】表表紙、裏表紙の図面である。
【考案を実施するための形態】
【０００８】  日めくりカレンダーの場合、１日から３１日まで、その印刷面の各々のＱＲコードをスマートフォンで読み取り、リンク先の制作者が文言を発声すること、訳文を補完説明することで正確なイントネーションと言葉の意味を伝え、制作者が適宜、更新していく。表表紙においては商品説明を映像、音声で行い、裏表紙においては協賛、後援、発売元のホームページとのリンクを行う。
【実施例】
【０００９】  以下、添付図面に従って一実施例を説明する。図１は日めくりカレンダーの内容説明であるが、沖縄の方言（黄金言葉）１に読み仮名をふり、訳文２を掲示してある。スマートフォンでＱＲコード３を読み取ると、沖縄の文化芸能人等が登場し、映像、音声により正しい発音と言葉の意味を伝えるものであり、適宜更新する。さらに、閲覧者の任意により「寄付行為」「出演料」の振込が行えるようにする。【００１０】  図２は、表表紙、裏表紙の説明である。店頭で購入者がスマートフォンでＱＲコード４を読み取ることで商品説明が受けられるという仕組みである。
また裏表紙においてはＱＲコード５を読み取ることで協賛、後援企業、発売元の会社のホームページにリンクできるものである。
【産業上の利用可能性】
【００１１】  沖縄においては１９７２年の復帰以降、標準語励行がなされ、学校の場、公の場等で方言を使用することを抑制する時期が長く続き、現在では、正確な方言（うちなーぐち）で会話できる人数割合は圧倒的に少ない。
地域の言葉は、文化であり絶やしてはならないとして、現在では教育現場も含め方言励行が行われるようになってきた。
歴史的な背景は異なるものの、各地方においてもそうした傾向が予測されることから、生まれなじんだ地方の言葉（文化）を大切にし、継承していくために本考案が活用されていくことが期待できる。
【符号の説明】
【００１２】１  日めくりカレンダーの場合の文面（うちなーぐち：方言）
２  １の言葉の意味の訳文
３  ＱＲコード  制作者へリンク。文面を読み上げる。寄付行為等を促す。
４  ＱＲコード  商品説明を行う。
５  ＱＲコード  協賛企業、後援企業、発売元へリンクする。
【図１】
0003235437.tif 000003
【図２】
0003235437.tif 000004
【手続補正書】
【提出日】令和3年9月24日(2021.9.24)
【手続補正１】
【補正対象書類名】実用新案登録請求の範囲
【補正対象項目名】請求項１
【補正方法】変更
【補正の内容】
【請求項１】
「ＱＲコード（登録商標）」が印刷された印刷物であって、当該「ＱＲコード（登録商標）」をスマートフォンで読み取ったリンク先において、映像、音声で印刷物の内容の補完や商品説明が行われる印刷物。
【手続補正２】
【補正対象書類名】実用新案登録請求の範囲
【補正対象項目名】請求項２
【補正方法】変更
【補正の内容】
【請求項２】
「ＱＲコード（登録商標）」が印刷された印刷物であって、当該「ＱＲコード（登録商標）」をスマートフォンで読み取ったリンク先において、映像、音声を適宜更新することにより印刷物の内容の補完が更新されていく日めくりカレンダー。
【手続補正３】
【補正対象書類名】実用新案登録請求の範囲
【補正対象項目名】請求項３
【補正方法】変更
【補正の内容】
【請求項３】
「ＱＲコード（登録商標）」が印刷された印刷物であって、当該「ＱＲコード（登録商標）」をスマートフォンで読み取ったリンク先において、映像、音声を制作する者等に対して閲覧者が任意で寄付行為ができる仕組みを有する日めくりカレンダー。